【手続補正書】
【提出日】平成25年8月30日(2013.8.30)
【手続補正１】
【補正対象書類名】明細書
【補正対象項目名】０１５２
【補正方法】変更
【補正の内容】
【０１５２】
上記から、当然のことながら、本発明の具体的な実施形態が具体的な説明の目的のために本明細書中に記載されたが、本発明の精神および範囲を離れることなく種々の改変をなす事ができる。従って、本発明は、付属の請求項を除き限定されない。
（態様１）
少なくとも約９．５のｐＨを有する使用溶液を提供するのに有効な量のアルカリ度源としてのアルカリ金属炭酸塩と、
約１〜７０ｗｔ％の量の水質調整剤と、
無機カリウム塩、アルコールアルコキシレート、もしくは分枝脂肪酸塩、またはそれらの組み合わせから本質的に成る活性剤と
凝固剤と、
を含む、固体洗剤組成物であって、
該固体洗剤組成物が、５ｗｔ％未満の水酸化ナトリウムおよび３ｗｔ％未満の活性塩素を含む、組成物。
（態様２）
該活性剤が、式ＣＨ３（ＣＨ２）ｍ（ＣＨ）ｎ（ＣＨ２）ｏ（ＣＨ）ｐ（ＣＨ２）ｑＣＯＯＨ（式中、ｍ、ｎ、ｏ、ｐおよびｑは、それぞれの０〜１７から選択された整数であり、そしてｎ＋ｐは、１または２であり、そしてｍ＋ｎ＋ｏ＋ｐ＋ｑは、３〜１８である）によって表わされた、分枝脂肪酸塩である、態様１に記載の固体洗剤組成物。
（態様３）
該活性剤が、式ＣＨ３（ＣＨ２）ｍ（ＣＨ）ｎ（ＣＨ２）ｏ（ＣＨ）ｐ（ＣＨ２）ｑＣＯＯＨ（式中、ｍ、ｎ、ｏ、ｐおよびｑは、それぞれの０〜１７から選択された整数であり、そしてｎ＋ｐは、１または２であり、そしてｍ＋ｎ＋ｏ＋ｐ＋ｑは、６〜１２である）によって表わされた、分枝脂肪酸塩である、態様１に記載の固体洗剤組成物。
（態様４）
該活性剤が、Ｃ８〜Ｃ１２の分枝脂肪酸である、態様１に記載の固体洗剤組成物。
（態様５）
該活性剤が、イソノナン酸ナトリウム、イソノナン酸、イソオクタン酸ナトリウム、イソオクタン酸、ネオデカン酸ナトリウム、ネオデカン酸、ネオペンタン酸ナトリウム、ネオペンタン酸、ネオへプタン酸ナトリウム、ネオヘプタン酸、３、５、５−トリメチルヘキサン酸、６−メチルヘプタン酸、２、２−ジメチルオクタン酸、ネオペンタン酸（２、２−ジメチルプロパン酸）、２、２−ジメチルペンタン酸、およびそれらの塩、またはそれらの混合物から成る群から選択された分枝脂肪酸塩のナトリウム塩またはカリウム塩である、態様１に記載の固体洗剤組成物。
（態様６）
該活性剤が、イソノナン酸、イソオクタン酸、ネオデカン酸、ネオペンタン酸、またはそれらの組み合わせから成る群から選択された分枝脂肪酸活性剤である、態様１に記載の固体洗剤組成物。
（態様７）
該活性剤が、イソノナン酸ナトリウムからなる分枝脂肪酸活性剤である、態様１に記載の固体洗剤組成物。
（態様８）
０．５ｗｔ％〜１０ｗｔ％の分枝脂肪酸活性剤を含む、態様１に記載の固体洗剤組成物。
（態様９）
１ｗｔ％〜３ｗｔ％の分枝脂肪酸活性剤を含む、態様１に記載の固体洗剤組成物。
（態様１０）
該活性剤が、アルコールアルコキシレートからなる、態様１に記載の固体洗剤組成物。
（態様１１）
該活性剤が、Ｐｌｕｒａｆａｃ ＬＦ９０１フランドのアルコールアルコキシレート界面活性剤からなる、態様１に記載の固体洗剤組成物。
（態様１２）
該活性剤が、ＣｏｌａＴｒｏｐｅ−ＩＮＣブランドのイソノナン酸ナトリウムからなる、態様１に記載の固体洗剤組成物。
（態様１３）
該活性剤が、無機カリウム塩からなる、態様１に記載の固体洗剤組成物。
（態様１４）
該凝固剤が、１０〜８０ｗｔ％の、炭酸ナトリウム、クエン酸塩、ポリアクリル酸ナトリウム、またはそれらの組み合わせを含む、態様１に記載の固体洗剤組成物。
（態様１５）
該全組成物が、３０ｗｔ％〜６０ｗｔ％の炭酸ナトリウムを有する、態様１に記載の固体洗剤組成物。
（態様１６）
該全組成物が、３０〜６０ｗｔ％の炭酸ナトリウムおよび３ｗｔ％未満の水酸化ナトリウムを有する、態様１に記載の固体洗剤組成物。
（態様１７）
該全組成物に、水酸化ナトリウムが実質的にない、態様１に記載の固体洗剤組成物。
（態様１８）
該固体洗剤組成物が、少なくとも約２．２７ｋｇ（５ポンド）のサイズを有するブロックの形態である、態様１に記載の固体洗剤組成物。
（態様１９）
該アルカリ度源が、炭酸ナトリウムもしくは炭酸カリウム、重炭酸ナトリウムもしくは重炭酸カリウム、セスキ炭酸ナトリウムもしくはセスキ炭酸カリウム、またはそれらの混合物を含む、態様１に記載の固体洗剤組成物。
（態様２０）
該使用溶液のｐＨが、約９．５〜１１である、態様１に記載の固体洗剤組成物。
（態様２１）
リパーゼ、クチナーゼ、ペルオキシダーゼ、またはグルコナーゼ、またはそれらの組み合わせをさらに含む、態様１に記載の固体洗剤組成物。
（態様２２）
３０〜６０ｗｔ％のアルカリ度源としてのアルカリ金属炭酸塩と、
１〜４０ｗｔ％の水質調整剤と、
無機カリウム塩、もしくはアルコールアルコキシレート、分枝脂肪酸塩またはそれらの組み合わせから本質的に成る群から選択された０．０１〜１０ｗｔ％の活性剤と、
重炭酸ナトリウム、クエン酸塩、ポリアクリル酸ナトリウムまたはそれらの組み合わせからなる凝固剤と、
を含む固体洗剤組成物であって、
該固体洗剤組成物が、２ｗｔ％未満の水酸化ナトリウムおよび２ｗｔ％未満の活性塩素を含む、組成物。
（態様２３）
該分枝脂肪酸活性剤が、式ＣＨ３（ＣＨ２）ｍ（ＣＨ）ｎ（ＣＨ２）ｏ（ＣＨ）ｐ（ＣＨ２）ｑＣＯＯＨ（式中、ｍ、ｎ、ｏ、ｐおよびｑは、それぞれ０〜１７の整数であり、そしてｎ＋ｐは１または２であり、そしてｍ＋ｎ＋ｏ＋ｐ＋ｑは、６〜１２である）で表わされる、態様２０に記載の固体洗剤組成物。
（態様２４）
該分枝脂肪酸活性剤が、イソノナン酸ナトリウム、イソノナン酸、イソオクタン酸ナトリウム、イソオクタン酸、ネオデカン酸ナトリウム、ネオデカン酸、ネオペンタン酸ナトリウム、ネオペンタン酸、ネオへプタン酸ナトリウム、ネオヘプタン酸、３、５、５−トリメチルヘキサン酸、６−メチルヘプタン酸、２、２−ジメチルオクタン酸、ネオペンタン酸（２、２−ジメチルプロパン酸）、２、２−ジメチルペンタン酸、およびそれらの塩、またはそれらの混合物から成る群から選択される、態様２１に記載の固体洗剤組成物。
（態様２５）
該活性剤が、０．１〜５ｗｔ％のイソノナン酸塩からなる、態様２１に記載の固体洗剤組成物。
（態様２６）
少なくとも約１０のｐＨを有する使用溶液を提供するのに有効な量のアルカリ度源と、１〜２０ｗｔ％の分枝脂肪酸塩を含む活性剤と、凝固剤と、スラリーを生成させるのに充分な水を有する２ｗｔ％以下の水酸化ナトリウムとを混合する工程；および固体洗剤組成物中で該スラリーを生成させる工程を含む、固体洗剤組成物を製造するための方法。
（態様２７）
該組成物を固体に形成させる工程が、押し出し工程による、態様２６に記載の方法。
（態様２８）
洗剤が約３００〜５０００ｐｐｍの濃度を有するように、組成物を溶解または希釈するのに充分な水を含む、洗剤使用溶液であって、
該組成物が、
約３０〜６０ｗｔ％のアルカリ度源としてアルカリ金属炭酸塩と、
１〜４０ｗｔ％の水質調整と、
無機カリウム塩、またはアルコールアルコキシレート、分枝脂肪酸塩またはそれらの組み合わせから本質的に成る群から選択された０．０１〜１０ｗｔ％の活性剤と、
任意選択的に、ナトリウム重炭酸塩、クエン酸塩、ポリアクリル酸ナトリウムまたはそれらの組み合わせから成る凝固剤と、
を含み、
該洗剤組成物が、２ｗｔ％未満の水酸化ナトリウムおよび２ｗｔ％の活性塩素未満を含む、溶液。
（態様２９）
少なくとも約９．５のｐＨを有する使用溶液を提供するのに有効な量のアルカリ度源としてのアルカリ金属炭酸塩と、
約１〜７０ｗｔ％の量の水質調整剤と、
無機カリウム塩、アルコールアルコキシレート、または分枝脂肪酸塩またはそれらの組み合わせから本質的に成る活性剤と、
を含む、洗剤組成物であって、
該洗剤組成物が、５ｗｔ％未満の水酸化ナトリウムおよび３ｗｔ％未満の活性塩素を含む、組成物。
（態様３０）
水をさらに含む、態様２９に記載の洗剤組成物。
（態様３１）
該活性剤が、イソノナン酸ナトリウム、イソノナン酸、イソオクタン酸ナトリウム、イソオクタン酸、ネオデカン酸ナトリウム、ネオデカン酸、ネオペンタン酸ナトリウム、ネオペンタン酸、ネオへプタン酸ナトリウム、ネオヘプタン酸、３、５、５−トリメチルヘキサン酸、６−メチルヘプタン酸、２、２−ジメチルオクタン酸、ネオペンタン酸（２、２−ジメチルプロパン酸）、２、２−ジメチルペンタン酸、およびそれらの塩、またはそれらの混合物から成る群から選択された分枝脂肪酸塩のナトリウムまたはカリウム塩である、態様２９に記載の洗剤組成物。
（態様３２）
該組成物に、水酸化ナトリウムが実質的にない、態様２９に記載の洗剤組成物。
（態様３３）
１０〜３０ｗｔ％の、アルカリ度源としてのアルカリ金属炭酸塩と、
１〜３０ｗｔ％の水質調整剤と、
無機カリウム塩、もしくはアルコールアルコキシレート、分枝脂肪酸塩またはそれらの組み合わせから本質的に成る群から選択された０．０１〜１０ｗｔ％活性剤と、
４０〜８０ｗｔ％の水と、
を含む、液体洗剤組成物であって、
該洗剤組成物が、２ｗｔ％未満の水酸化ナトリウムおよび２ｗｔ％未満の活性塩素を含む、組成物。
【手続補正２】
【補正対象書類名】特許請求の範囲
【補正対象項目名】全文
【補正方法】変更
【補正の内容】
【特許請求の範囲】
【請求項１】
少なくとも約９．５のｐＨを有する使用溶液を提供するのに有効な量のアルカリ度源としてのアルカリ金属炭酸塩と、
約１〜７０ｗｔ％の量の水質調整剤と、
無機カリウム塩、アルコールアルコキシレート、もしくは分枝脂肪酸塩、またはそれらの組み合わせから本質的に成る活性剤と
凝固剤と、
を含む、固体洗剤組成物であって、
該固体洗剤組成物が、５ｗｔ％未満の水酸化ナトリウムおよび３ｗｔ％未満の活性塩素を含む、組成物。
【請求項２】
該活性剤が、式ＣＨ３（ＣＨ２）ｍ（ＣＨ）ｎ（ＣＨ２）ｏ（ＣＨ）ｐ（ＣＨ２）ｑＣＯＯＨ（式中、ｍ、ｎ、ｏ、ｐおよびｑは、それぞれの０〜１７から選択された整数であり、そしてｎ＋ｐは、１または２であり、そしてｍ＋ｎ＋ｏ＋ｐ＋ｑは、３〜１８である）によって表わされた、分枝脂肪酸塩である、請求項１に記載の固体洗剤組成物。
【請求項３】
該活性剤が、式ＣＨ３（ＣＨ２）ｍ（ＣＨ）ｎ（ＣＨ２）ｏ（ＣＨ）ｐ（ＣＨ２）ｑＣＯＯＨ（式中、ｍ、ｎ、ｏ、ｐおよびｑは、それぞれの０〜１７から選択された整数であり、そしてｎ＋ｐは、１または２であり、そしてｍ＋ｎ＋ｏ＋ｐ＋ｑは、６〜１２である）によって表わされた、分枝脂肪酸塩である、請求項１に記載の固体洗剤組成物。
【請求項４】
該活性剤が、Ｃ８〜Ｃ１２の分枝脂肪酸である、請求項１に記載の固体洗剤組成物。
【請求項５】
該活性剤が、イソノナン酸ナトリウム、イソノナン酸、イソオクタン酸ナトリウム、イソオクタン酸、ネオデカン酸ナトリウム、ネオデカン酸、ネオペンタン酸ナトリウム、ネオペンタン酸、ネオへプタン酸ナトリウム、ネオヘプタン酸、３、５、５−トリメチルヘキサン酸、６−メチルヘプタン酸、２、２−ジメチルオクタン酸、ネオペンタン酸（２、２−ジメチルプロパン酸）、２、２−ジメチルペンタン酸、およびそれらの塩、またはそれらの混合物から成る群から選択された分枝脂肪酸塩のナトリウム塩またはカリウム塩である、請求項１に記載の固体洗剤組成物。
【請求項６】
該活性剤が、イソノナン酸、イソオクタン酸、ネオデカン酸、ネオペンタン酸、またはそれらの組み合わせから成る群から選択された分枝脂肪酸活性剤である、請求項１に記載の固体洗剤組成物。
【請求項７】
該活性剤が、イソノナン酸ナトリウムからなる分枝脂肪酸活性剤である、請求項１に記載の固体洗剤組成物。
【請求項８】
０．５ｗｔ％〜１０ｗｔ％の分枝脂肪酸活性剤を含む、請求項１に記載の固体洗剤組成物。
【請求項９】
１ｗｔ％〜３ｗｔ％の分枝脂肪酸活性剤を含む、請求項１に記載の固体洗剤組成物。
【請求項１０】
該活性剤が、アルコールアルコキシレートからなる、請求項１に記載の固体洗剤組成物。
【請求項１１】
該活性剤が、Ｐｌｕｒａｆａｃ ＬＦ９０１フランドのアルコールアルコキシレート界面活性剤からなる、請求項１に記載の固体洗剤組成物。